(57)【要約】【課題】ペアリング時の組み合わせを簡易に判別可能な情報処理システムの提供。【解決手段】表示面１１に視認情報Ｓを表示する表示装置１０と、表示面１１に当接して表示面１１上の位置情報（ｘ、ｙ）を生成するための指示装置１３と、を有し、指示装置１３の識別情報Ｑと、視認情報Ｓに含まれ位置情報（ｘ、ｙ）と関連付けられる視認特性情報Ｒと、を表示装置１０と指示装置１３との間で通信する通信手段３０と、を有し、表示装置１０は、複数の指示装置１３を識別情報Ｑに基づいて識別して、位置情報（ｘ、ｙ）を生成可能な使用可能状態に設定する登録手段と、当該登録手段によって使用可能状態となった指示装置１３と使用可能状態となっていない指示装置１３とを区別して表示する使用可否表示手段と、を有する情報処理システム５００。【選択図】図１
2017138648.tif 000002
【特許請求の範囲】
【請求項１】
表示面に視認情報を表示する表示装置と、
前記表示面に当接して当該表示面上の位置情報を生成するための指示装置と、を有し、
当該指示装置の識別情報と、前記視認情報に含まれ前記位置情報と関連付けられる視認特性情報と、を前記表示装置と前記指示装置との間で通信する通信手段と、を有し、
前記表示装置は、複数の前記指示装置を前記識別情報に基づいて識別して、前記位置情報を生成可能な使用可能状態に設定する登録手段と、
当該登録手段によって使用可能状態となった前記指示装置と使用可能状態となっていない前記指示装置とを区別して表示する使用可否表示手段と、
を有する情報処理システム。
【請求項２】
請求項１に記載の情報処理システムであって、
前記使用可否表示手段は、前記指示装置の前記使用可能状態とともに前記指示装置の前記視認特性情報を表示することを特徴とする情報処理システム。
【請求項３】
請求項１または２に記載の情報処理システムであって、
前記使用可否表示手段は、前記指示装置の前記使用可能状態とともに前記指示装置の前記識別情報を表示することを特徴とする情報処理システム。
【請求項４】
請求項１乃至３の何れか１つに記載の情報処理システムであって、
前記視認特性情報は、前記指示装置が前記表示装置に当接した軌跡を表示するときの色、大きさ、形状のうち少なくとも１つの情報を含むことを特徴とする情報処理システム。
【請求項５】
表示装置の表示面に当接した指示装置の当該表示面上の位置情報を生成するための位置情報取得ステップと、
前記指示装置の識別情報を取得するための識別情報取得ステップと、
前記表示面に表示される視認情報に含まれ前記位置情報と関連付けられる視認特性情報と前記識別情報とを前記表示装置と前記指示装置との間で通信する通信ステップと、
複数の前記指示装置を前記識別情報に基づいて識別して、前記位置情報を生成可能な使用可能状態に設定する登録ステップと、
前記登録ステップによって使用可能状態となった前記指示装置と使用可能状態となっていない前記指示装置とを区別して表示する使用可否表示ステップと、
を有する情報処理方法。
【発明の詳細な説明】
【技術分野】
【０００１】
本発明は、情報処理システム及び情報処理方法に関する。
【背景技術】
【０００２】
従来の黒板を進化させて、ＰＣなどの情報端末からの画像を表示したり、電子ペンなどの指示装置を用いて筆記情報を表示記録できる電子黒板と呼ばれる情報処理システムがある（例えば特許文献１、２等参照）。かかる電子黒板システムは、情報の操作や記録が容易なので会議などで利用される機会が増えてきている。
電子黒板システムにおいては、一般に電子ペンと電子黒板とは無線通信機能を介して識別情報の送受信をして、それに対応した設定内容を読み出して描画に使用する。
かかる無線通信機能が周辺にある他の無線通信機器への影響を小さくするために、通信相手を１対１で特定するペアリングと呼ばれる操作を行って相手先のアドレスを登録する方法が知られている。
【０００３】
しかしながら、複数の電子黒板と複数の電子ペンとを使用するようになると、かかるペアリングの組み合わせが異なっていて使用不可能な状態になる問題があり、使用者にとって電子ペンと電子黒板との組み合わせを簡易に判別する構成が求められている。
【発明の概要】
【発明が解決しようとする課題】
【０００４】
本発明は、以上のような問題点に鑑みてなされたものであり、ペアリング時の組み合わせを簡易に判別可能な情報処理システムの提供を目的とする。
【課題を解決するための手段】
【０００５】
上述した課題を解決するため、本発明の情報処理システムは、表示面に視認情報を表示する表示装置と、前記表示面に当接して当該表示面上の位置情報を生成するための指示装置と、を有し、当該指示装置の識別情報と、前記視認情報に含まれ前記位置情報と関連付けられる視認特性情報と、を前記表示装置と前記指示装置との間で通信する通信手段と、を有し、前記表示装置は、複数の前記指示装置を前記識別情報に基づいて識別して、前記位置情報を生成可能な使用可能状態に設定する登録手段と、当該登録手段によって使用可能状態となった前記指示装置と使用可能状態となっていない前記指示装置とを区別して表示する使用可否表示手段と、を有する。
【発明の効果】
【０００６】
本発明の情報処理システムによれば、ペアリング時の組み合わせが簡易に判別される。
【図面の簡単な説明】
【０００７】
【図１】本発明の実施形態にかかる情報処理システムの全体構成の一例を示す図である。
【図２】図１に示した表示装置の機能構成の一例を示すブロック図である。
【図３】図２に示した電子ペン管理部の記憶する情報の構成の一例を示す図である。
【図４】本発明の実施形態にかかる指示装置の構成の一例を示す平面図である。
【図５】図４に示す指示装置の機能構成の一例を示すブロック図である。
【図６】通信部によって伝達される情報のデータ構成の一例を示した模式図である。
【図７】図１に示したコンピュータのハードウェア構成の一例を示すブロック図である。
【図８】本発明の実施形態にかかる情報処理システムの動作の一例を示すフローチャートである。
【図９】本発明の実施形態にかかる情報処理システムの描画動作の一例を示すフローチャートである。
【図１０】本発明の実施形態にかかる情報処理システムの設定変更動作の一例を示すフローチャートである。
【図１１】本発明の実施形態にかかる使用可否表示手段の構成の一例を示す平面図である。
【図１２】本発明の実施形態にかかる登録手段の構成の一例を示す平面図である。
【発明を実施するための形態】
【０００８】
以下、本発明の実施形態の一例を図面を用いて説明する。
図１には、本発明の第１の実施形態にかかる情報処理装置の一例として、電子黒板システム５００が示されている。
【０００９】
電子黒板システム５００は、使用者に対して視認情報Ｓを表示するための表示装置たる電子黒板１０と、電子黒板１０の表示部たる表示面１１に当接して、表示面１１上の位置情報（ｘ，ｙ）を生成するための指示装置たる３つの電子ペン１３と、を有している。
電子黒板システム５００は、電子ペン１３と電子黒板１０との間で、図３に示して後述する電子ペン１３の識別情報Ｑや制御用命令を含む各種情報を通信するための通信手段としての図２に示す通信部３０を有している。
なお、ここでは電子黒板システム５００は３つの電子ペン１３を備えるとしたが、１つでも良いし、複数であっても良い。また、特にこれら複数の電子ペン１３を区別する必要のあるときは、図４に示すように電子ペン１３Ａ、１３Ｂ、１３Ｃとの表記を用い、それぞれの位置情報（ｘＡ、ｙＡ）、（ｘＢ、ｙＢ）、（ｘＣ、ｙＣ）と表記する。
電子黒板システム５００は、ＰＣ等の外部装置３００が出力した画像情報を視認情報Ｓとして電子黒板１０に表示するためのコンピュータ１００を有している。
【００１０】
視認情報Ｓは、電子黒板１０の表示面１１に表示される図形や文字を含む視覚情報である。
なお、コンピュータ１００は、電子黒板１０に内蔵されていても良いし、別体で設けられて複数の電子黒板１０と通信するものであっても良い。
【００１１】
電子黒板１０は、コンピュータ１００からの情報に従って視認情報Ｓを表示するためのディスプレイたる表示部としての表示面１１と、表示面１１に接触した物体を検知するための４つの撮像センサー１４と、を有している。
電子黒板１０は、表示面１１上の外縁部に表示面１１の一部として形成され、電子ペン１３が当接したときに後述する電子ペン設定操作のサブルーチンへと遷移するための電子ペン表示領域８０を有している。
【００１２】
電子黒板１０は、図２に示すように、コンピュータ１００と接続されて、画像情報を読み取る画像入力部１５と、撮像センサー１４からの情報に基づいて接触した電子ペン１３の座標たる位置情報（ｘ，ｙ）を入力する操作入力部１６と、を有している。
電子黒板１０は、操作入力部１６に入力された位置情報（ｘ，ｙ）と、表示面１１に表示された視認情報Ｓとを含む各情報を記憶する記憶部１７と、電子ペン１３の設定情報や動作状態などを記録・管理する電子ペン管理部１８と、を有している。
なお、ここでは操作入力部１６は、電子ペン１３の位置情報（ｘ、ｙ）を入力するとしたが、電子ペン１３に限らず、指やペンなどの物体であっても良い。
【００１３】
なお、ここでは電子黒板１０が画像入力部１５と、操作入力部１６と、記憶部１７と、電子ペン管理部１８とを備えるとしたが、コンピュータ１００がこれら機能を有するとしても良い。
【００１４】
電子ペン管理部１８は、図３に示すように、任意の電子ペンＩＤたる識別情報Ｑと、電子ペン１３が使用可能状態であるかどうかを示す使用可否情報と、識別情報Ｑと関連付けられた判別情報と、電子ペン１３の状態情報Ｒと、を記録している。
ここで、識別情報Ｑは電子ペン１３のそれぞれに与えられ一意に区別可能なＩＤであり、互いに重複しない固有番号である。
【００１５】
使用可否情報は、当該電子黒板１０が電子ペン１３を使用できるかすなわち位置情報（ｘ、ｙ）を入力可能かどうかを判別するための判別状態を管理するための情報である。それぞれの電子ペン１３の状態に合わせて、使用可能、使用停止、応答なし、別機器利用、の４つの場合について記載している。すなわち、使用可否情報は、電子ペン１３が位置情報（ｘ、ｙ）を生成可能な使用可能状態であるか否かを示している。
判別情報は、使用者が分かりやすいように後述する登録操作のときに任意に設定された電子ペン１３の固有情報であり、使用者が判別しやすいようにここではＫ０１、Ｋ０２、赤１、Ｒ０２などの文字列によって表されている。
状態情報Ｒは、それぞれの電子ペン１３が電子黒板１０に筆記操作を行ったときに表示される軌跡の色、形、大きさの情報を含む視認特性情報である。
電子ペン管理部１８は、識別情報Ｑに関連付けられた、使用可否情報と、判別情報と、状態情報Ｒと、の固有情報を電子ペン管理表として記録している。
【００１６】
電子ペン１３は、図４に示すように、先端の尖ったペン状の指示装置であり、使用者が持って電子黒板１０に対して筆記操作を行うための把持部１３ｂと、表示面１１に当接したときの位置情報（ｘ，ｙ）を生成するための先端部１３ａと、を有している。
電子ペン１３は、図５に示すように、電力を供給するための電池である電源部１３０と、電子ペン１３の各部の動作及びセンサー入力に応じた動作を制御するための制御部１３１と、を有している。
電子ペン１３は、先端部１３ａが表示面１１に当接したか否かを判定する接触検出部１３２と、接触検出部１３２が、表示面１１と先端部１３ａとの当接を検知したことを条件として発光するＬＥＤたる発光部１３３と、を有している。
接触検出部１３２は、圧力センサとしての機能を有し、先端部１３ａが表示面１１に対して押圧される強さを筆記圧力として検出する圧力検出部としての機能も有している。
発光部１３３は、本実施形態では把持部１３ｂの使用者によって隠されないような位置に１つ配置されているが、先端部１３ａに設けても良いし複数設けても良い。かかる発光部１３３からの光を撮像センサー１４を用いて撮影することで、三角測量と同様の方法により電子ペン１３の位置情報（ｘ、ｙ）がより精度良く求められる。
【００１７】
通信部３０は、本実施形態では電子黒板１０に配置されて、識別情報Ｑを含む電子黒板１０と電子ペン１３との間の有線及び／または無線によるデータ３１の通信を管理する。
通信部３０によって送受信されるデータ３１のデータ構成を図６に示す。
データ３１は、識別情報Ｑに含まれる送信先識別情報Ｑ１と、送信元識別情報Ｑ２と、通信内容本体Ｄと、を有している。送信先識別情報Ｑ１と、送信元識別情報Ｑ２と、は送受信相手を特定するための数字列であり、多数の機器を識別するための数十桁のＩＤである。
通信内容本体Ｄは、相手側に送るコマンド列や、筆記情報に伴う観測データが入る。電子ペン１３からの通信内容本体Ｄにはさらに、接触検出部１３２が検知した先端部１３ａの接触状態や筆記圧力の観測情報が含まれる。
このように、通信部３０が通信を行うときには、識別情報Qが含まれる。
また、後述するように、通信部３０は、送信先識別情報Ｑ１を特定しない不特定な通信を行うことができる。
この場合には、通信を受信した電子ペン１３や電子黒板１０などの機器がすべて内容を処理する。
【００１８】
コンピュータ１００は、図７に示すように、アドレスバスやデータバス等のバスライン１１８を介して電気的に接続されたＣＰＵ１０１と、記憶装置たるＲＯＭ１０２と、ＲＡＭ１０３と、ＳＳＤ（Ｓｏｌｉｄ  Ｓｔａｔｅ  Ｄｒｉｖｅ）１０４と、を有している。
コンピュータ１００は、ネットワークコントローラ１０５と、外部記憶コントローラ１０６と、センサコントローラ１１４と、ＧＰＵ１１２と、キャプチャデバイス１１１と、を有している。
【００１９】
ＣＰＵ１０１は、アプリケーションに代表される実行命令を実行して電子黒板システム１００の動作を制御する。
ＲＯＭ１０２にはＩＰＬが記憶されており、主に起動時にＣＰＵ１０１が実行するプログラムが格納される。ＲＡＭ１０３は、アプリケーションを実行するときのワークエリアとしての機能を有している。
ＳＳＤ１０４は、位置情報検出用のアプリケーションやデータが記憶された不揮発メモリである。
【００２０】
ネットワークコントローラ１０５は、ＬＡＮやＷＡＮ等のネットワークを介して外部装置３００や電子ペン１３との通信を行うときに、通信プロトコルに基づいた制御を行う。
【００２１】
外部記憶コントローラ１０６は、着脱可能な外部メモリ１１７に対する書込み又は外部メモリ１１７からの読み出しを行う。
キャプチャデバイス１１１は、外部装置３００からの画像情報や、電子黒板１０に表示される視認情報Ｓを取り込む。すなわち、キャプチャデバイス１１１は、画像入力部１５としての機能を有している。
ＧＰＵ１１２は、電子黒板１０の表示面１１に配置された複数のピクセルの各画素値を演算する描画用のプロセッサである。
【００２２】
センサコントローラ１１４は、撮像センサー１４が接続されており、発光部１３３からの光に基づいて撮像センサー１４を制御して撮影を行う。
【００２３】
なお、本実施形態では、コンピュータ１００は、電子ペン１３と必ずしも直接通信を行う必要はなく、通信部３０を介して通信する。コンピュータ１００が電子ペン１３と直接通信する場合には、コンピュータ１００は、電子ペン１３から押圧信号を受信するための電子ペンコントローラ１１６を備えることが望ましい。
【００２４】
なお、ＣＰＵ１０１が実行するプログラムは、外部メモリ１１７に記憶された状態で提供されても良いし、ネットワークコントローラ１０５を介して外部装置３００や所定のサーバからダウンロードして得られたものであっても良い。
また、かかるプログラムは、圧縮された状態で提供されても実行形式で提供されても良い。
【００２５】
このような電子黒板システム５００においては、１つの電子黒板１０に対して、本実施形態のように複数の電子ペン１３を用いられることがしばしばある。
しかしながら、これらの電子ペンに従来のように単に無線による通信を行うのみでは、周辺にある無関係な無線通信機器への影響や、通信内容の暗号化が難しいという懸念があった。
そこで本実施形態では、通信相手を１対１で特定するために、送信元と送信先とを特定して紐付けるペアリング操作が行われる。かかるペアリング操作により、通信内容に送信先アドレスと送信元アドレスとを含めることで、通信相手が１対１で特定されて他の通信機器への影響が抑えられる。
【００２６】
また、このようなペアリング操作を行う場合には、複数の電子ペン１３に対して、どれが電子黒板１０に紐付けされているか、すなわちどの電子ペン１３が使用可能状態かが分かりづらいという問題もあった。
そこで、本実施形態では、このような電子黒板システム５００を用いた情報処理方法の一例として、図８に示すようなフローで動作して電子ペン１３を管理する。
【００２７】
電子黒板システム５００の電源がＯＦＦ状態からＯＮ状態となると（ステップＳ１０１）、コンピュータ１００は、外部装置３００などから入力された画像情報などを確認する使用準備状態へと遷移する（ステップＳ１０２）。
画像入力部１５は、外部装置３００から入力された画像情報を読み取り、視認情報Ｓを表示面１１に表示する（ステップＳ１０３）。
【００２８】
使用準備が完了すると、電子黒板１０は、記憶部１７あるいは電子ペン管理部１８に保管された識別情報Ｑに基づいて、通信部３０を介して電子ペン１３と通信し、電子ペン管理表の更新を行う（ステップＳ１０４）。
ステップＳ１０４は、識別情報Ｑを取得するための識別情報取得ステップである。
既に図２を用いて説明したように、電子ペン管理部１８には、識別情報Ｑに関連付けて、使用可否情報と、判別情報と、状態情報Ｒと、が記録されている。
電子ペン管理表は、識別情報Ｑを主キーとするデータベースであり、識別情報Ｑは各電子ペンの固有番号であるから、互いに重複せず管理できる。
【００２９】
電子ペン管理表が更新された後、通信部３０は、周囲にある電子ペン１３Ａ、１３Ｂ、１３Ｃのそれぞれに対して、相手先を特定せずに通信を行い、各電子ペン１３Ａ、１３Ｂ、１３Ｃに対して正常に接続されたかどうかの確認を行う。
電子黒板１０は、ステップＳ１０４において更新された電子ペン管理表に基づいて、通信部３０によって正常に通信が行われた、使用可能な電子ペン１３、本実施形態では特に電子ペン１３Ａの簡易情報を電子ペン表示領域８０に表示する（ステップＳ１０５）。
簡易情報は例えば、判別情報と、状態情報Ｒと、を表示面１１の外周縁に簡易表示させれば良い。具体的には、現在使用可能な電子ペン１３Ａの判別情報と状態情報Ｒのうち、ペン形状の図形や簡単な名称を併せて表示すると良い。かかる電子ペン情報の表示により、使用者は現在使用可能な電子ペン１３Ａの判別がしやすくなり、使用者の利便性が向上する。
かかるステップＳ１０５は、通信部３０によって状態情報Ｒと識別情報Ｑとを電子黒板１０と電子ペン１３との間で通信する通信ステップである。
なお、かかる判別をさらに簡易にするために、判別情報で用いられる簡単な名称である「Ｋ０１」等の文字列を、図４に示すように、電子ペン１３Ａ、１３Ｂ、１３Ｃのそれぞれに記載しても良い。
【００３０】
電子黒板１０は、使用可能な電子ペン１３の簡易情報を表示した状態で待受状態へと遷移する（ステップＳ１０６）。
かかる待受状態において、電子黒板１０は使用者によるタッチ操作、電子ペン１３の操作などのイベント、電子ペン１３から通信部３０を介して伝達される電源部１３０のＯＮ／ＯＦＦ状態の遷移などのイベントを待っている状態である。
ステップＳ１０６において、電子黒板１０が使用者の操作を検知すると、例えば使用可能な電子ペン１３Ａが表示面１１に当接して描画操作を行ったことを検知する(ステップＳ１０７）と、電子黒板１０は、図９に示す描画操作のサブルーチンへと遷移する。
また同様に、ステップＳ１０６において、電子ペン１３Ａが表示面１１に当接して電子ペン１３Ａの設定操作要求が検知される(ステップＳ１０８）と、電子黒板１０は、図１０に示す電子ペン設定操作のサブルーチンへと遷移する。
どちらの操作もなされないときには、電子黒板１０は待受状態を維持する。
【００３１】
電子黒板１０に表示された既存の視認情報Ｓに使用者が図１に示されたような三角形の描画情報Ｐを新たに書き込む描画操作について説明する。
【００３２】
図９のＳｔａｒｔで示された描画初期状態は、図８で示したメインルーチンにおける待受状態であり、電子黒板１０の表示面１１には、既存の視認情報Ｓが表示されている。
使用者は、電子ペン１３Ａを用いて、表示面１１上に三角形の形状に沿って、電子ペン１３Ａを当接させた状態で移動させる描画操作を行う。
使用者の操作によって、使用可能な電子ペン１３Ａが表示面１１に当接すると、発光部１３３は、先端部１３ａと表示面１１とが当接したことを条件として発光する（ステップＳ３０１）。
通信部３０は、発光部１３３からの光を撮像センサー１４が検知したことを条件として、電子ペン１３Ａから送付される通信内容の判断を行う（ステップＳ３０２）。
具体的には、操作入力部１６が電子ペン１３Ａの表示面１１上の位置情報（ｘＡ、ｙＡ）を解析し、電子ペン１３Ａが表示面１１上で筆記処理を行うのか、コマンド処理を行うのかを判別する。
なお、本実施形態では表示面１１に電子ペン１３Ａが当接したことを条件として描画操作を行うとしたが、電子ペン１３本体に別途ボタンを設けて、そのボタンが押されたことを条件として描画操作に遷移するとしてもよい。
【００３３】
ステップＳ３０２の通信内容判断ステップにおいて、操作入力部１６が筆記処理であると判断したときには、電子黒板１０は電子ペン１３Ａの位置情報（ｘＡ、ｙＡ）を観測する。
タッチ入力部１６は、撮像センサー１４の撮影した画像と発光部１３３からの光とに基づいて先端部１３ａの位置情報（ｘＡ、ｙＡ）を三角測量と同様の方法で求める。
【００３４】
通信部３０は、求められた位置情報（ｘＡ、ｙＡ）を、コンピュータ１００に送信する。
コンピュータ１００は、リアルタイムで電子ペン１３Ａの位置情報（ｘＡ、ｙＡ）を解析し、時系列に沿って並べることで、位置情報（ｘＡ、ｙＡ）の軌跡を線として作成して表示面１１に表示させる。
言い換えると、電子黒板システム５００は、使用者の描画操作が行われたときに、電子ペン１３によって生成された各時点における位置情報（ｘ、ｙ）を撮像センサー１４を用いて読み取ることで表示面１１に軌跡を表示する（ステップＳ３０３）。
すなわちステップＳ３０３は、電子黒板１０の表示面１１に当接した電子ペン１３の表示面１１上の位置情報（ｘ、ｙ）を生成するための位置情報取得ステップである。
また、このときに表示される軌跡の形状及び大きさは、ステップＳ１０４において更新された電子ペン管理表の設定情報に基づいて決定される。
【００３５】
ステップＳ３０３において指示された描画処理が終了すると、電子黒板１０はステップＳ１０６の待受状態へと再度遷移する。
【００３６】
このように撮像センサー１４を用いて位置情報（ｘ、ｙ）を読み取ることで、電子ペン１３の位置情報（ｘ、ｙ）が容易に得られるので、電子黒板システム５００はタッチパネル機能を有する電子黒板システムとして動作する。
【００３７】
ステップＳ３０２の通信内容判断ステップにおいて、位置情報（ｘＡ、ｙＡ）の観測により電子ペン１３Ａの操作がコマンド処理であると判断されたときには、該当する処理を行う（ステップＳ３０４）。
かかるコマンド処理には例えば電子ペン１３Ａの電源部１３０がＯＦＦ状態になった場合や、他の電子黒板に対して使用する設定に変更されたため、電子ペン１３Ａが使用停止状態に遷移するなどの状況が挙げられる。これにより、表示面１１に提示されていた電子ペン１３Ａの簡易情報は削除される処理が行われる。
ステップＳ３０４において指示されたコマンド処理が終了すると、電子黒板１０はステップＳ１０６の待受状態へと再度遷移する。
【００３８】
電子黒板１０の表示面１１に表示されている電子ペン表示領域８０に電子ペン１３が当接したとき、すなわち設定操作要求が行われたときには、図１０に示す電子ペン設定操作のサブルーチンへと遷移する（ステップＳ２０１）。なお、本実施形態では電子ペン表示領域８０に電子ペン１３が当接したことを設定操作要求としたが、電子ペン１３本体にボタンを設けて、そのボタンが押されたとき、としてもよい。
電子黒板１０は、電子ペン１３が電子ペン表示領域８０に当接したことを条件として、図１１に示すような電子ペン管理画面７０を表示し、電子ペン管理状態へと遷移する（ステップＳ２０２）。
電子ペン管理状態では、電子黒板１０は通信部３０の通信可能範囲内にある全ての電子ペン１３に対して不特定の通信を行い、各電子ペン１３の判別情報と、状態情報Ｒと、使用可否情報と、使用可否情報の設定変更のための登録ボタン７１と、が表示される。
すなわち電子ペン管理画面７０は、使用可否情報と状態情報Ｒとを併せて表示する使用可否表示手段である。
電子ペン管理画面７０ではまた、設定実行ボタン７２と、設定取消しボタン７３と、が表示されている。
登録ボタン７１は、後述する登録ステップにおいて電子ペン１３Ａ、１３Ｂ、１３Ｃの何れかを識別情報Ｑに基づいて識別して、それぞれの位置情報（ｘＡ、ｙＡ）、（ｘＢ、ｙＢ）、（ｘＣ、ｙＣ）を生成可能な使用可能状態に設定する登録手段である。
なお、これら情報に加えて、電子ペン１３の識別情報Ｑなどの固有情報を表示しても良い。また、判別情報と、状態情報Ｒと、使用可否情報とのうちの一部のみを表示するとしても良い。
【００３９】
使用者は、電子ペン管理画面７０において、それぞれの電子ペン１３の設定情報の欄にタッチあるいは使用可能状態の電子ペン１３を当接させることにより、判別情報や、状態情報Ｒとしての筆記時の線の形状や色、大きさなどを変更する（ステップＳ２０３）。
使用者は、設定した変更が正しいときには設定実行ボタン７２を押して設定変更を確定する。同様に、誤りがあったときには設定取消しボタン７３を押して設定変更を取消す。
このように設定実行ボタン７２と、設定取消しボタン７３と、があることにより、使用者の意思によって設定を確定できるので、誤操作による設定変更が予防される。
【００４０】
電子黒板１０は、ステップＳ２０３において変更された設定が、設定可能であるかのチェックを行う（ステップＳ２０４）。
ステップＳ２０４において、設定不可能と判別されたときには、電子ペン管理部１８はかかる設定の変更を破棄し、電子黒板１０は表示面１１にエラーの内容を表示して（ステップＳ２０５）電子ペン管理画面７０に戻る。
ステップＳ２０４において設定可能と判断された場合には、電子ペン管理部１８は、かかる電子ペン１３の設定を図２に示した電子ペン管理表に反映させる（ステップＳ２０６）。
【００４１】
また、使用者は、電子ペン管理画面７０において、登録手段としての登録ボタン７１が押されたことを条件として、電子黒板１０に対して電子ペン１３を登録するペアリング操作を行う（ステップＳ２０７）。
【００４２】
電子黒板１０に対して電子ペン１３を登録するときのペアリング操作について説明する。図１２は、ペアリング操作を行うときの登録情報入力画面であり、電子ペン１３を電子黒板１０に登録するための項目が例示されている。
なお、ステップＳ２０７のペアリング操作は、後述するように、電子ペン１３を電子黒板１０に対して紐付けして、位置情報（ｘ、ｙ）を生成可能な使用可能状態に設定するための登録ステップである。
【００４３】
ここでは例として登録済みの電子ペン１３Ａ、１３Ｂに対して、未登録の電子ペン１３Ｃを登録する場合について説明する。電子ペン１３Ａ，１３Ｂについては既に登録がなされており、以降に述べるようなペアリング操作が行われたものである。
【００４４】
電子ペン管理画面７０において電子ペン１３Ｃの欄に配置された登録ボタン７１が押されると、電子黒板１０は、図１２に示すように、電子ペン１３Ｃの新規登録画面９０へと遷移する。
使用者は、電子ペン１３Ｃの判別情報として用いられる判別名称や、視認特性情報として用いられる軌跡の形状や大きさ、色などの設定情報を任意に設定する。
なお、新規登録画面９０においては、電子ペン１３Ｃの識別情報Ｑは、電子ペン管理部１８によって通信部３０を介して自動で取得されて表示されることが望ましい。
このように識別情報Ｑが自動で取得されることにより、使用者による誤操作を減らして、重複のない識別情報Ｑが容易に設定される。
【００４５】
また、新規登録画面９０において、電子黒板１０は、識別情報Ｑが表示されている以外の電子ペン１３Ａ、１３Ｂによる入力や、指などによる入力を受け付けないことが望ましい。
このように、新規登録画面９０において、電子黒板１０が識別情報Ｑの表示された特定の電子ペン１３Ｃのみに入力を許可することで、使用者による電子ペン１３Ｃの取り違えが防止され、誤操作が防止ないし抑制される。
【００４６】
使用者は、新規登録画面９０において記載された全ての情報について入力すると、設定実行ボタン７２を押して設定を確定する。
設定実行ボタン７２が押されると、ステップＳ２０４と同様に、電子黒板１０は、変更された設定が、設定可能であるかのチェックを行う。
ステップＳ２０６と同様に設定可能と判断された場合には、電子ペン管理部１８は、かかる電子ペン１３Ｃの新規の設定を電子ペン管理表に反映させる。
このように登録ステップにおいて設定が変更されることにより、電子ペン１３Ｃは状態情報Ｒを使用可能状態へと書き換えられる。
また、電子ペン１３Ｃが他の電子機器との通信を行っていたり、電源が入っていなかったりなどの場合には、ステップＳ２０５と同様にエラーを表示して、かかる設定の変更は破棄される。
【００４７】
本実施形態に示す電子黒板システム５００は、表示面１１に視認情報Ｓを表示する電子黒板１０と、表示面１１に当接して表示面１１上の位置情報（ｘ、ｙ）を生成するための電子ペン１３と、を有している。
電子黒板システム５００はまた、電子ペン１３の識別情報Ｑと、視認情報Ｓに含まれ位置情報（ｘ、ｙ）と関連付けられる設定情報と、を電子ペン１３と電子黒板１０との間で通信する通信手段たる通信部３０を有している。
電子黒板１０は、複数の電子ペン１３Ａ、１３Ｂ、１３Ｃを識別情報Ｑに基づいて識別して、位置情報（ｘ、ｙ）を生成可能な使用可能状態に設定する登録ボタン７１と、登録ボタン７１によって使用可能状態となった電子ペン１３Ａ、１３Ｂと使用可能状態となっていない電子ペン１３Ｃとを区別して表示する電子ペン管理画面７０と、を有している。
かかる構成により、ペアリング時の使用可能な組み合わせが簡易に判別される。
【００４８】
電子ペン管理画面７０は、複数の電子ペン１３の使用可否情報とともに電子ペン１３の状態情報Ｒを表示する。
かかる構成により、ペアリング時の使用可能な組み合わせが簡易に判別されるとともに、同一画面で使用したときの軌跡の形状をも管理できるので、使用者にとっての利便性が向上する。
【００４９】
電子ペン管理画面７０は、電子ペン１３の使用可否情報とともに電子ペン１３の識別情報Ｑを表示する。
かかる構成により、一意に電子ペン１３を特定できるので、ペアリング時の使用可能な組み合わせが簡易に判別される。また、識別情報Ｑは電子ペン１３のそれぞれに固有の情報であるので、重複がない。
【００５０】
本実施形態では、状態情報Ｒは、電子ペン１３が電子黒板１０に当接した軌跡を表示するときの色、大きさ、形状のうち少なくとも１つの情報を含んでいる。
かかる構成により、電子ペン１３を用いて筆記操作を行うときに、使用者が軌跡の予想をしやすいので、使用者の利便性が向上する。
【００５１】
本実施形態では、電子黒板システム５００は、電子黒板１０の表示面１１に当接した指示装置の表示面１１上の位置情報（ｘ、ｙ）を生成するための位置情報取得ステップＳ３０３を有している。
電子黒板システム５００はまた、電子ペン１３の識別情報Ｑを取得するための識別情報取得ステップＳ１０４を有している。
電子黒板システム５００はまた、表示面１１に表示される視認情報Ｓに含まれ位置情報（ｘ、ｙ）と関連付けられる状態情報Ｒと識別情報Ｑとを電子黒板１０と電子ペン１３との間で通信する通信ステップＳ１０５を有している。
電子黒板システム５００はまた、複数の電子ペン１３を識別情報Ｑに基づいて識別して、位置情報（ｘ、ｙ）を生成可能な使用可能状態に設定する登録ステップＳ２０７を有している。
電子黒板システム５００はまた、登録ステップＳ２０７によって使用可能状態となった電子ペン１３と使用可能状態となっていない電子ペン１３とを区別して表示する使用可否表示ステップＳ２０２と、を有している。
かかる構成により、ペアリング時の使用可能な組み合わせが簡易に判別される。
【００５２】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００５３】
例えば、上記実施形態において、電子ペンは３本としたが、１本であっても、複数であっても良い。
またさらに、表示装置たる電子黒板についても、１つに限らず、通信部の通信可能範囲に複数あるとしても良い。電子黒板が複数ある場合にも、識別情報に基づいて使用可否情報が登録されるから、使用者がペアリング時に使用可能な組み合わせが簡易に判別される。
また、上記実施形態では、登録手段や使用可否表示手段は、表示面上に表示される画面の機能であるとしたが、かかる構成に限定されるものではなく、例えば指示装置や表示装置に専用のボタンを取り付けて、押圧することで同様の処理を行っても良い。
【００５４】
本発明の実施の形態に記載された効果は、本発明から生じる最も好適な効果を列挙したに過ぎず、本発明による効果は、本発明の実施の形態に記載されたものに限定されるものではない。
【符号の説明】
【００５５】
１０    表示装置（電子黒板）
１１    表示面
１３    指示装置（電子ペン）
３０    通信手段（通信部）
７１      登録手段（登録ボタン）
７０      使用可否表示手段
５００      情報処理システム（電子黒板システム）
Ｑ      識別情報
Ｒ      視認特性情報（状態情報）
Ｓ      視認情報
ｘ、ｙ  位置情報
Ｓ１０４    識別情報取得ステップ
Ｓ１０５    通信ステップ
Ｓ２０７    登録ステップ
Ｓ２０２    使用可否表示ステップ
Ｓ３０３    位置情報取得ステップ
【先行技術文献】
【特許文献】
【００５６】
【特許文献１】特開２０１５−０４９５５９号公報
【特許文献２】特開２０１５−１６２１６１号公報
【図１】
2017138648.tif 000003
【図２】
2017138648.tif 000004
【図３】
2017138648.tif 000005
【図４】
2017138648.tif 000006
【図５】
2017138648.tif 000007
【図６】
2017138648.tif 000008
【図７】
2017138648.tif 000009
【図８】
2017138648.tif 000010
【図９】
2017138648.tif 000011
【図１０】
2017138648.tif 000012
【図１１】
2017138648.tif 000013
【図１２】
2017138648.tif 000014